(57)【特許請求の範囲】
【請求項１】
コンテンツ検索画面と再生情報を表示する表示装置と、
コンテンツの検索を行い、かつ、再生情報の表示を制御する制御装置と、
前記再生情報に対応する各種の動画データと該動画データに関する検索データとを格納する記憶装置と、
決定キーと該決定キーの周囲に配置される上下キーと左右キーからなるカーソル移動キーとから構成される十字キーを備えて前記制御装置に前記表示装置の表示操作を指示する遠隔操作装置とを備えた動画再生装置において、
前記制御装置は、
前記再生情報を表示する再生画像領域部と、前記再生画像領域部の下方の位置に左右に並べて配置されるキーワード選択部と、検索結果を表示する検索結果表示バー部とを備えたキーワード検索画面を前記表示装置に表示し、
前記キーワード選択部は、キーワードを表示する選択窓部を含んで構成し、
前記検索結果表示バー部は、左右方向に長い帯状のタイムバー部とを含んで構成し、
前記検索データは、前記動画データを構成する複数の画像フレームの位置情報と前記キーワードとが関連付けられており、
前記制御装置は、
前記遠隔操作装置からの操作指示を受け付けて、特定の動画データに関する前記キーワード検索画面を前記表示装置に表示し、
前記遠隔操作装置の上下キーの操作指示を受け付けて、前記再生画面領域部にキーワード検索ウインドウを表示して、前記記憶装置に格納される特定の動画データに関するキーワードを表示し、
前記遠隔操作装置の前記上下キーの操作指示により前記キーワード検索ウインドウ内のキーワードの選択を受け付けて、前記決定キーの操作指示により当該選択中のキーワードを検索キーワードとして特定し、
前記特定した検索キーワードを前記選択窓部に表示するとともに、前記検索データから当該検索キーワードに該当する検索を行い、
前記検索結果に基づいて、前記フレーム画像の位置情報に対応したタイムバー部の所定の位置に検索結果マーク部を表示し、
前記遠隔操作装置の左右キーの操作指示により前記検索結果マーク部の選択を受け付けて、当該選択された検索結果マーク部に対応するフレーム画像を前記再生画像領域部に再生し、
前記特定した検索キーワードと異なる第２の検索キーワードの選択を受け付けた場合には、前記制御装置は、前記第２の検索キーワードを前記選択窓部に表示するとともに、前記検索データから当該第２の検索キーワードに該当する検索を行い、前記検索結果に基づいて、前記第２の検索キーワードに対応するフレーム画像の位置情報に対応したタイムバー部の所定の位置に前記検索結果マーク部とは異なる第２の検索結果マーク部を表示することを特徴とする動画再生装置。
【請求項２】
請求項１記載の動画再生装置において、
前記キーワード選択部は、さらに上下左右キーの操作を指示する矢印マークを含んで構成し、
前記制御装置は、前記選択窓部の上下及び左右の位置に、それぞれ前記矢印マークを表示することを特徴とする動画再生装置。
【請求項３】
請求項１記載の動画再生装置において、
前記制御装置は、前記キーワード選択部と前記検索結果表示バー部とが、それぞれ左右方向長い帯状となるように、前記キーワード選択部と前記検索結果表示バー部とを表示し、さらに、前記キーワード選択部と前記検索結果表示バーと部との長手方向が一致するよう左右に並べて表示することを特徴とする動画再生装置。
【請求項４】
請求項１記載の動画再生装置において、
前記制御装置は、前記第２の検索結果マーク部を表示すると共に、前記第２の検索結果マーク部のうち最も早い時間帯に表示された箇所を選択表示させることを特徴とする動画再生装置。
【請求項５】
請求項１記載の動画再生装置において、
前記制御装置は、前記フレーム画像を前記再生画像領域部に再生する前に、前記検索結果表示バー部にサブ画面を表示し、
前記フレーム画像は、前記遠隔操作装置の左右キーの操作指示により、前記サブ画面で選択された画像であることを特徴とする動画再生装置。
【請求項６】
請求項５記載の動画再生装置において、
前記制御装置は、前記サブ画面を表示するに伴い、前記検索結果表示バー部に配置された検索結果表示バーの長手方向の長さを短く表示することを特徴とする動画再生装置。
【請求項７】
請求項１記載の動画再生装置において、
前記特定の動画データは、前記コンテンツ検索画面を用いて、検索された動画データであることを特徴とする動画再生装置。
【請求項８】
請求項７記載の動画再生装置において、
前記コンテンツ検索画面には、選択キーを含む分野選択領域と、選択キーにより選択された分野の下位情報を表示する詳細展開領域とが左右に並んで表示され、選択された１つの選択キーを含む分野の表示と、前記詳細展開領域とが連続する領域として表示されることを特徴とする動画再生装置。
【請求項９】
請求項８記載の動画再生装置において、
前記分野選択領域は、帯状のタイトルバーと帯状のガイダンスバーとの間に配置され、  前記制御装置は、分野選択領域の長手方向に沿って、第１選択キー、前記第１選択キーの下位階層である第２選択キー、前記第２選択キーの下位階層である第３選択キーを順次配列表示することを特徴とする動画再生装置。
【発明の詳細な説明】
【技術分野】
【０００１】
本発明は、動画データを再生する動画再生装置に関する。特に動画データにおける特定シーンを抽出、選択、再生等する技術に関する。
【背景技術】
【０００２】
近年、デジタルテレビ放送による動画データの多チャンネル放送化やネットワークの広帯域化により、多くの動画データを取得あるいは視聴可能となっている。また、動画圧縮伸張技術の向上、向上した動画圧縮技術を実現するハードウェア／ソフトウェアの低価格化、及び蓄積メディアの大容量化と低価格化により、多くの動画データを手軽に保存できるようになり、視聴可能な動画データが増加しつつある。しかしながら、多忙な人にとっては、それら動画データ全てを視聴する時間は無く、結果として視聴しきれない動画データが氾濫する状況になってきている。そこで例えば、動画データにおける特定シーンを抽出する技術が重要となる。
【０００３】
従来技術においては、テレビ放送などのコンテンツの動画中に含まれる字幕を解析して、この解析結果を特定シーンの検索に用いたものが知られている。例えば、従来技術の１つは、コンテンツを所定の単位に分割し、この分割単位に、前記解析で得られる字幕テキストを割り当てて検索可能としたものがある。
【０００４】
また、他の従来技術の１つには、字幕が現われているシーンだけを抽出して代表画像を一覧表示するものがある。特に、この従来例では、範囲の修正を行う場合、映像中の一部の区間のフレーム画像を等時間間隔でサンプリングして、写真ネガのように横一列に並べて表示し、このフレーム画像の列と並べてスクロールバーを設けて、このスクロールバーで必要な範囲を修正することもできる。
【０００５】
また、他の従来技術の１つは、映像シーンの画像変化を捉えて複数のフレームに分割して録画し、再生に際し、任意のシーンを選択して再生する場合は、選択画面の下部に複数のフレームで分割された横長のタイムバーを表示するとともに、このタイムバーの上部に各フレームの代表画像を横一列に表示して、タイムバーでのカーソルの選択移動に伴って、代表画像の画像を移動させることで、代表画像を見ながら所望のシーンを選択して再生するものが実用化されている。
【０００６】
【特許文献１】特開２００６−１１５０５２号公報
【特許文献２】特開平０７−１９２００３号公報
【発明の開示】
【発明が解決しようとする課題】
【０００７】
前記従来例によれば、字幕のテキストが検索キーワードとして自動的に取り込まれるので、利用者が検索キーワードを新たに設定する手間を省くことができる。しかしながら、この従来例では、リモコンに設けた読取装置から読み取られるキーワードと同じキーワードを備えたフレーム画像を抽出して、その抽出したフレーム画像の代表画像を一覧表示したり、あるいはリスト表示することが開示されている。しかし、この従来例では、読取装置を用いた検索手法以外の具体的な検索手法の開示がなく、より使い勝手の良好な情報検索再生装置が求められる。
【０００８】
特に、字幕を解析して検索可能なテキストを抽出すると、これらのデータは膨大なものとなる。しかも、これら字幕データに加えて、電子番組ガイドに含まれる番組名、番組内容、出演者などのデータを検索可能にすると、これらのテキストデータから任意のキーワードを簡単に設定して検索可能とし、更に、その検索状況を一目でわかる動画再生装置が求められる。
【０００９】
また、近年の画像録画再生装置では、テレビ画面に各種の選択キーを表示して、この選択キーをリモコンに設けた十字キーを介して選択して決定するものが広く普及している。したがって、この広く普及した十字キーを用いた検索手法が有効である。
【００１０】
そこで、この発明の目的とするところは、十字キーの操作で簡単に検索して、その検索状況が把握しやすい画像再生装置を提供することにある。
【課題を解決するための手段】
【００１１】
前記課題を解決するために、本発明の動画再生装置は、コンテンツ検索画面と再生情報を表示する表示装置と、コンテンツの検索を行い、かつ、再生情報の表示を制御する制御装置と、前記再生情報に対応する各種の動画データと該動画データに関する検索データとを格納する記憶装置と、決定キーと該決定キーの周囲に配置される上下キーと左右キーからなるカーソル移動キーとから構成される十字キーを備えて前記制御装置に前記表示装置の表示操作を指示する遠隔操作装置とを備えた動画再生装置において、前記制御装置は、前記再生情報を表示する再生画像領域部と、前記再生画像領域部の下方の位置に左右に並べて配置されるキーワード選択部と、検索結果を表示する検索結果表示バー部とを備えたキーワード検索画面を前記表示装置に表示し、前記キーワード選択部は、キーワードを表示する選択窓部を含んで構成し、前記検索結果表示バー部は、左右方向に長い帯状のタイムバー部とを含んで構成し、前記検索データは、前記動画データを構成する複数の画像フレームの位置情報と前記キーワードとが関連付けられており、前記制御装置は、前記遠隔操作装置からの操作指示を受け付けて、特定の動画データに関する前記キーワード検索画面を前記表示装置に表示し、前記遠隔操作装置の上下キーの操作指示を受け付けて、前記再生画面領域部にキーワード検索ウインドウを表示して、前記記憶装置に格納される特定の動画データに関するキーワードを表示し、前記遠隔操作装置の前記上下キーの操作指示により前記キーワード検索ウインドウ内のキーワードの選択を受け付けて、前記決定キーの操作指示により当該選択中のキーワードを検索キーワードとして特定し、前記特定した検索キーワードを前記選択窓部に表示するとともに、前記検索データから当該検索キーワードに該当する検索を行い、前記検索結果に基づいて、前記フレーム画像の位置情報に対応したタイムバー部の所定の位置に検索結果マーク部を表示し、前記遠隔操作装置の左右キーの操作指示により前記検索結果マーク部の選択を受け付けて、当該選択された検索結果マーク部に対応するフレーム画像を前記再生画像領域部に再生し、
前記特定した検索キーワードと異なる第２の検索キーワードの選択を受け付けた場合には、前記制御装置は、前記第２の検索キーワードを前記選択窓部に表示するとともに、前記検索データから当該第２の検索キーワードに該当する検索を行い、前記検索結果に基づいて、前記第２の検索キーワードに対応するフレーム画像の位置情報に対応したタイムバー部の所定の位置に前記検索結果マーク部とは異なる第２の検索結果マーク部を表示するものである。
【発明の効果】
【００１２】
本発明によれば、使い慣れた十字キーの上下キーの操作でキーワードを検索することが簡単に行うことができるとともに、当該キーワードの検索結果の状況を視覚的にわかりやすく表示するするとともに、十字キーの左右キーの操作で検索結果の所望のフレーム画像を簡単に検索して決定することができる。
【発明を実施するための最良の形態】
【００１３】
以下、図１から図１６を参照して、本発明に係る画像再生装置とその表示方法の実施の形態を詳細に説明する。この実施の形態では、大容量の記憶装置を備えたテレビジョン受像機に適用したもので具体的に説明しているが、このテレビジョン受像機に限定されるものではない。
【００１４】
先ず、図１を参照して、このテレビジョン受像機１の概略構造を説明する。図１は、この実施の形態に係るテレビジョン受像機の概略構成図である。
【００１５】
図１において、符号１で総括的に示すテレビジョン受像機は、本体１００と、モニタ２００と、リモコン３００とを含んで構成される。前記本体１００は、テレビチューナや大容量の記憶装置１０９を内蔵して、このテレビジョン受像機１の中核をなすものである。前記モニタ２００は、前記本体１００とコードを介して接続され、前記本体１００で生成される画像を表示装置２０１に表示する。この実施の形態では、このモニタ２００に設けられる表示装置２０１の下部にスピーカ２０３を備えたものを採用している。しかし、これに限定されるものではなく、スピーカ別体のものや、テレビチューナを内蔵したテレビジョン受像機でもよい。
【００１６】
前記リモコン３００は、例えば、赤外線信号を介して前記本体１００の図示しない赤外線受光部に操作信号を送信して、このテレビジョン受像機１の操作を統括的に操作することができる。この実施の形態に係るリモコン３００は、決定キー３１１と、この決定キー３１１の上下左右方向に隣接して設けられる上キー３１４と、下キー３１５と、右キー３１６と、左キー３１７とからなる十字キー３１０を備えている。そして、この十字キー３１０を介して、前記表示装置２０１に表示されるカーソル２０２を移動させて、表示装置２０１に表示される複数の選択ボタンから所望の選択ボタンを決定して、当該選択ボタンに割り当てられた機能を実行させることができる。
【００１７】
前記本体１００には、コードを介してアンテナ５０を接続することで、一般的な地上波放送を受信することができるし、衛星放送アンテナを接続すれば衛星放送を受信できる。更に、ケーブルテレビなどとも接続することができる。また、この実施の形態ではデジタル放送に対応した機構を備えている。したがって、前記放送を通じてテレビ画像信号の他に番組情報（ＥＰＧ）などの各種情報を受信して、これを内蔵した記憶装置１０９に格納し、これらの情報から各種検索を行うことができる。この意味で、この本体１００は動画再生装置としての機能を備えており、例えば、動画データを再生可能なハードディスクレコーダ、ビデオテープレコーダ、パーソナルコンピュータ、又は携帯端末等で適用することができる。
【００１８】
そして、この実施の形態の大きな特徴の１つは、前記本体１００を構成するマイコン１０１が、ハードデイスク（ＨＤＤ）などからなる前記大容量の記憶装置１０９に記憶されたコンテンツ情報を簡単に検索し、この検索された１つのコンテンツ内を更にキーワードで検索して、当該キーワードで検索されたフレーム画像を簡単にかつ視認性よく検索可能とした点にある。
【００１９】
この実施の形態では、この特徴を実現するために、前記大容量の記憶装置１０９に、複数のコンテンツを格納するコンテンツＤＢ４００と、このコンテンツＤＢ４００に格納されたコンテンツを検索するための第１検索ＤＢ４１０と、この第１検索ＤＢ４１０で検索された１つのコンテンツの所望のフレーム画像をテキスト検索可能とする第２検索ＤＢ４２０とを備えるようにする。そして、前記本体１００を統括的に制御するマイコン１０１が、前記リモコン３００からの指示信号を受け付けて、前記表示装置２０１に検索画面５００を表示し、この検索画面５００を介して前記第１検索ＤＢ４１０による第１検索ステップと、第１検索ステップで検索されたコンテンツ内から第２検索ＤＢ４２０を介して所望のフレーム画像をテキスト検索で検索することができる第２検索ステップを備えている。
【００２０】
前記第１検索ステップでは、テレビ画像信号の他に入手した番組情報（ＥＰＧ）などの各種情報から「ジャンル」や「タイトル」「出演者」などのコンテンツ自体を識別するテキスト情報を取得して第１検索ＤＢ４１０を生成する。そして、この実施の形態では、所望のコンテンツを抽出するに当たり、この第１検索ＤＢに基づいて所望のキーワードを受け付ける第１検索画面５１０（図４参照）を前記表示装置２０１に表示し、このテキスト情報に基づいて該当する複数のコンテンツを抽出し、この抽出した複数のコンテンツから望所のコンテンツを選択することができる。
【００２１】
一方、第２検索ステップでは、テレビ画像信号とともに入手した字幕情報を大容量記憶装置１０９に格納し、この字幕情報をテレビ画像信号との位置関係を関連つけたテキスト情報に分解して第２検索ＤＢ４２０を生成する。そして、この実施の形態では、この第２検索ＤＢ４２０を備えたコンテンツを再生するにあたり、この第２検索ＤＢ４２０に基づいて所望のキーワードの選択を受け付ける第２検索画面５５０を前記表示装置２０１に表示し、この第２検索画面５５０を介して選択されるキーワードに該当する複数のフレーム画像を抽出し、その抽出したフレーム画像の位置をコンテンツ全体の長さの関係でタイムバー上に表示し、このタイムバー上に表示される複数のフレーム画像から望所のフレーム画像を選択し、このフレーム画像を表示装置２０１に再生することができる。
【００２２】
このように、この実施の形態では、第１検索ステップを介して所望のコンテンツを抽出できるとともに、抽出された特定のコンテンツ内でのテキスト検索を可能とすることができる。これにより、多数のコンテンツの中から所望のフレーム画像を簡単かつ迅速に検索でき、多くの時間を費やすことなく所望のフレーム画像を視聴することができる。
【００２３】
また、この実施の形態の他の大きな特徴の１つは、十字キー３１０を備えたリモコン３００と連携して使い勝手の良い第２検索画面５５０を備えた点にある。
【００２４】
一般に、この種の画像再生機器では、リモコンに十字キーを備えて、この十字キーの操作に基づいて、表示装置に表示されるメニュー画面上に表示されるカーソルを移動させ、このメニュー画面を構成する複数の選択ボタンから所望の選択ボタンを選択することができる。しかしながら、動画像の再生中に複数の選択ボタンを表示させると、これら選択ボタンが再生画像を邪魔することとなる。更に、十字キーで操作する場合、上下キーと左右キーが混在した操作となると操作性が著しく低下する。一方、この実施の形態のように、１つのコンテンツ中に含まれる検索結果は、動画像の再生を邪魔することなく、その全体像を把握する必要があり、更には、検索結果から任意のフレーム画像を簡単に選択できる必要がある。
【００２５】
そこで、この実施の形態に係る第２検索画面（キーワード検索画面）５５０では、再生画像を表示させる再生画面領域部５５１と、この再生画像領域部５５１の下方の位置に左右に並べて配置されるキーワード選択部５６０と、検索結果を表示する検索結果表示バー部５７０とを備えるようにする。前記キーワード選択部５６０は、現在選択中のキーワードを表示する選択窓部５６１を含んで構成する。また、検索結果表示バー部５７０は、左右方向に長い帯状のタイムバー部５７１と、このタイムバー部５７１を左右に分割するように設定される検索結果マーク部５７２とを含んで構成される。タイムバー部５７１は、左右の長さが当該コンテンツの全体の映像時間として設定され、この全体の映像時間に対して、前記検索結果マーク部５７２が対応する時間にしたがって割り付けられて表示される。
【００２６】
したがって、この実施の形態では、前記選択窓部５６１で設定されるキーワードで抽出される複数の検索結果が、そのフレーム画像位置に対応したタイムバー部５７１の所定の位置に検索結果マーク部５７２として表示される。つまり、選択窓部５６１で設定されるキーワードが変更されれば、その検索結果を視覚的に示す検索結果マーク部５７２が対応して変化することとなる。もちろん、キーワードに対応する検索結果が複数あれば、対応する検索結果マーク部５７２も複数表示される。また、この第２検索画面５５０では、検索結果マーク部５７２の１つが選択されると、その選択された検索結果マーク部５７２に対応するフレーム画像が前記再生画像領域部５５１に表示される。
【００２７】
このように、この実施の形態では、再生画像領域部５５１の下辺にキーワード選択部５６０と検索結果表示バー部５７０とを左右に並べて配置しているので、再生画像領域部５５１での再生を大きく邪魔することなく、現在設定中のキーワードと、このキーワードを備えた検索結果の位置を用意に把握することができる。
【００２８】
そして、この実施の形態では、リモコン３００の所定の操作に伴って、この選択窓部５６１の近傍の前記再生画像領域部５５１にキーワード選択用のキーワード選択ウインドウ５９０を表示し、このキーワード選択ウインドウ５９０に表示されるキーワード選択肢５９１を十字キー３１０の上キー３１４または下キー３１５の操作で選択し、決定キー３１１の操作で選択決定することができる。一方、十字キー３１０の右キー３１６または左キー３１７の操作で、前記タイムバー部５７１に表示される検索結果マーク部５７２の１つを選択して再生画像領域部５５１での再生画面を対応するフレーム画像に変更することができる。つまり、この実施の形態によれば、十字キー３１０の上下キーの操作でキーワードを選択し、十字キーの左右キーの操作で１つ前の又は次の検索結果マーク部５７２までフレーム画像をスキップさせ、当該スキップさせたフレーム画像を前記再生画像領域部５５１に表示させることができる。
【００２９】
このように、この実施の形態では、十字キー３１０の上下方向と左右方向の操作でキーワードの選択やスキップ操作を簡単に行うことができる。しかも、この操作では、再生画像を邪魔することなく、しかもキーワードの選択状況やスキップする画像を確認しながら操作することができる。
【００３０】
また、この実施の形態の他の大きな特徴の１つは、前記選択窓部５６１の上下及び左右の位置に隣接して、十字キー３１０の各上下左右キーの操作を指示する矢印マーク５６２を表示させることにより、その配置構成が十字キー３１０操作と関連して表記されるので、キーワード検索操作とスキップ操作との違いを利用者に分かり易く認識させることができる。
【００３１】
以上、説明したように、この実施の形態に係るテレビジョン受像機１は、コンテンツ検索と再生情報を表示するモニタ（表示装置）２００と、コンテンツの検索を行い、かつ、再生情報の表示を制御するマイコン（制御装置）１０１と、再生情報に対応する各種の動画データと該動画データに関する検索データを格納する記憶装置１０９と、決定キー３１１とこの決定キー３１１の周囲に配置される上下キーと左右キーからなるカーソル移動キーとから構成される十字キー３１０を備えて前記マイコン１０１に前記モニタ２００の表示操作を指示するリモコン（遠隔操作装置）３００とを備え、更に、前記再生情報を表示する再生画像領域部５５１と、前記再生画像領域部５５１の下方の位置に左右に並べて配置されるキーワード選択部５６０と、検索結果を表示する検索結果表示バー部５７０とを備えたキーワード検索画面５５０を備え、前記キーワード選択部５６０は、キーワードを表示する選択窓部５６１を含んで構成し、前記検索結果表示バー部５７０は、左右方向に長い帯状のタイムバー部５７１とを含んで構成し、前記検索データは、前記動画データを構成する複数の画像フレームの位置情報と前記キーワードとが関連付けられており、前記マイコン１０１は、前記リモコン３００からの操作指示を受け付けて、特定の動画データに関する前記キーワード検索画面５５０を前記モニタ２００に表示し、前記リモコン３００の上下キー３１１の操作指示を受け付けて、前記再生画面領域部５５１にキーワード検索ウインドウ５９０を表示して、前記記憶装置１０９に格納される特定の動画データに関するキーワード（キーワード選択肢）５９１を表示し、前記リモコン３００の前記上下キーの操作指示により前記キーワード検索ウインドウ５９０内のキーワード５９１の選択を受け付けて、前記決定キー３１１の操作指示により当該選択中のキーワード５９１を検索キーワードとして特定し、前記特定した検索キーワードを前記選択窓部５６１に表示するとともに、前記検索データから当該検索キーワードに該当する検索を行い、前記検索結果に基づいて、前記フレーム画像の位置情報に対応したタイムバー部５７１の所定の位置に検索結果マーク部５７２を表示し、前記リモコン３００の左右キーの操作指示により前記検索結果マーク部５７２の選択を受け付けて、当該選択された検索結果マーク部５７２に対応するフレーム画像を前記再生画像領域部５５１に再生するものである。
【００３２】
以下、図２から図１６を参照して、この実施の形態に係るテレビジョン受像機を更に詳細に説明する。
【００３３】
先ず、図２を参照して、本体１００の内部装置を説明する。図２は本体１００の装置ブロック図である。
【００３４】
この実施の形態では、マイコン１０１が、前記リモコン３００からの赤外線による操作指示信号をリモコン受光部１０８で受信し、この操作指示に基づいて、このテレビジョン受像機１を統括的に制御する。
【００３５】
チューナ１０２は、電子番組ガイド情報（ＥＰＧ情報）を重複した放送波を受信できる公知のものである。この電子番組ガイド情報は、チャンネル番号、番組の放送時間、番組名、番組内容、出演者、それら複数の番組が多重化されたストリームから所望の番組を抜き出すために必要なプログラムＩＤとプログラムテーブルなどが含まれる。前記放送波は、地上波、衛星放送波、有線放送波の何れでも良い。
【００３６】
前記チューナ１０２で受信された放送波は、番組情報抽出部１０３でＥＰＧ情報とコンテンツ情報に分離され、音声再生部１０４と映像再生部１０５に出力される。音声再生部１０４は前記スピーカ２０３に出力される。映像情報は、映像再生部１０５からの映像信号と画面生成部１０７からのグラフィックデータが表示合成部１０６で合成され、前記モニタ２００に出力される。
【００３７】
この実施の形態では、大容量の記憶装置１０９としてＨＤＤ（ハードデイスク装置）と、二次記憶装置１１０としてのＤＶＤ（デジタルビデオデイスク装置）を備えている。そして、この実施の形態では、ＤＶＤ１１０やＨＤＤ１０９に格納されたコンテンツの再生はもちろんのこと、放送波で受信したコンテンツを二次記憶装置１１０や記憶装置１０９に格納することができ、また、二次記憶装置１１０と記憶装置１０９との間で相互にダビングを行うことができる。
【００３８】
この実施の形態では、二次記憶装置１１０や記憶装置１０９の格納に際し、検索情報を同時に格納することができる。そして、この実施形態では、前記検索情報やＥＰＧ情報から各種の検索を行って、その検索結果に基づいて、検索した放送波や二次記憶装置１１０あるいは記憶装置１０９に格納したコンテンツを表示したり、あるいは、放送波のコンテンツを録画（予約録画を含む）したり、ダビングなどを行うことができる。
【００３９】
また、この実施の形態では、外部インターフエイス部１１１にＵＳＢ端子を備えている。これにより、他の増設記憶装置を接続することができる。例えば、内部に画像記憶メモリ素子を備えたデジタルカメラとの接続では、従来のように、デジタルカメラから記憶メモリ素子を備えた媒体を取り外して、これを読取装置で再生することなく、デジタルカメラにＵＳＢ端子を接続するだけで、このデジタルカメラの画像記憶メモリ素子をマイコン１０１の管轄下において、同メモリ素子内の画像を再生したり、あるいは読み出して、記憶装置１０９や二次記憶装置１１０に格納することができる。
【００４０】
また、この実施の形態では、外部インターフエイス部１１１にパソコンとの接続インタフエイスを取り付けて、これを本体１００内に収めることができる。接続のインターフエイスとしては、モデムやＬＡＮボードがある。ＬＡＮボードを接続した場合は、マイコン１０１が備えている前記本体１００の統括制御権をパソコンに移すことができる。したがって、この本体１００が備えている記憶装置１０９や二次記憶装置１１０を、パソコンから自由に制御することができるので、一々、記憶装置１０９や二次記憶装置１１０に格納された内容をパソコン４００にダウンロードする必要がないので便利である。
【００４１】
次に、図３を参照してリモコン３００を説明する。図３はリモコンの操作面を示している。図３において、リモコン３００は、扁平な箱状本体の長手方向の一端側（図面上部側）に図示しない赤外線発信部を備え、前記本体の広い一面側に複数の操作キーを備えている。なお、ここでは、複数の操作キーの中で代表的な操作キーの説明に止め、他の操作キーの説明は省略する。
【００４２】
図３において、本体の広い一面の一端側には、テレビジョン受像機１の電源キー３２０を配置し、その後方に衛星放送や地上波放送などの放送の種別を選択する選局キー群３２１、その後方に、チャンネルをダイレクトに設定するダイレクトチャンネル設定キー群３２２、その後方に音量アップダウンキー３２３とチャンネルの選局送戻キー３２４を設け、その後方に任意設定キー３２５、その後方に番組表選択キー群３２６、その後方に十字キー３１０、その後方に番組検索キー３３３を含む録画関連キー群３２７が配置される。
【００４３】
この実施の形態では、前記十字キー３１０の４隅の位置に、各種の機能画面を選択して前記表示装置２０１に表示するためのメニューキー３２８と、便利な機能をまとめた画面を前記表示装置４０１に表示するための便利キー３２９と、データ放送を表示装置４０１に表示させるためのデータキー３３０と、戻るキー３３１を設けている。また、この実施の形態では、前記任意設定キー３２５を青キー３２５ａと赤キー３２５ｂと緑キー３２５ｃと黄色キー３２５ｄから構成し、これら４つのキーに検索画面５００における機能の選択を割り当てている。
【００４４】
また、前記十字キー３１０は、中央に配置される円形の決定キー３１１と、この決定キー３１１の周囲を囲むリング状のリングキー３３２とから構成され、決定キー３１１は押下することで、カーソル２０２が位置する機能を実行させ、リングキー３３２は上下左右に設けた矢印（上キー３１４、下キー３１５、右キー３１６、左キー３１７）の位置を押すことで、このリングキー３３２が傾いて押下され、押下された方向にカーソル２０２を移動させることができる。
【００４５】
また、録画関連キー群３２７には、再生や録画、停止キーの他に第２検索画面５５０を呼び出すためのスキップキー３３４が含まれる。
【００４６】
次に、図３から図７に基づいて、複数のコンテンツから望所のコンテンツを選択することができる第１検索ステップの第１検索画面を参照しながら具体的に説明する。図４から図７は第１検索画面の遷移図である。
【００４７】
先ず、この実施の形態では、マイコン１０１がリモコン３００の番組検索キー３３３の操作信号を受け付けると、表示装置２０１に現在表示中の内容を中断して、図４に示す番組検索を行うための第１検索画面５１０を表示する。この第１検索画面５１０（コンテンツ検索画面）は、表示装置２０１の横長の表示画面２０１ａにウインドウ形式で表示されるものであり、この表示画面２０１ａに全画面表示することもできるし、ウインドウ形式で表示することができる。
【００４８】
第１検索画面５１０は、最上部と最下部には帯状のタイトルバー５１１と帯状のガイダンスバー５１２が設けられ、この２つのバーの間に検索領域５１３が設定されている。検索領域５１３は、一方の片側に番組検索における第１選択キー５１４が常時表示される分野選択領域５１５が設定され、他の片側には前記第１選択キー５１４に対応した第２選択以降の選択キーが必要に応じて表示される詳細展開領域５１６が設定されている。この実施の形態では、前記第１選択キー５１４として、「ジャンル」「出演者」「キーワード」「保存先」「詳細設定」がカーソル２０２にて選択可能な選択キーとして上下に並べて配置される。
【００４９】
また、前記タイトルバー５１１とガイダンスバー５１２は、前記分野選択領域５１５と詳細展開領域５１６の左右の分割に合わせて左右に分割される。つまり、タイトルバー５１１の一方の片側には、この第１検索画面５１０が番組検索の画面であることを示すタイトル５１７が表示され、他の片側には、検索対象を示す検索対象表示５１８が表示される。この実施の形態では、検索対象が動画コンテンツである録画番組であるため「録画番組」が表示される。また、前記ガイダンスバー５１２は、一方の片側に主操作キーである十字キー３１０の操作ガイダンス５１９が表示され、他の片側には詳細展開領域５１６関係の操作キーの操作ガイダンス５２０が表示される。
【００５０】
さて、この実施の形態のマイコン１０１は、初期状態で表示する第１検索画面５１０では、図４の初期画面５１０ａを表示する。この初期画面５１０ａでは、前記第１選択キー５１４の１つにカーソル２０２が常に位置するように表示する。また、この実施の形態では、上下に並べて配置される第１選択キー５１４の上部の「ジャンル」にカーソル２０２が設定される。そして、この実施の形態では、カーソル２０２が位置する第１選択キー５１４の１つ「ジャンル」が、前記詳細展開領域５１６と連続する領域として表示される。これにより、詳細展開領域５１６に表示される情報が、カーソル２０２が位置する第１選択キー５１４の下位情報であることを視覚的に分かり易く利用者に提供することができる。
【００５１】
次に、マイコン１０１は、決定キー３１１の操作を受け付けると、カーソル２０２が位置する第１選択キー５１４の下位情報である第２選択キー５１４ａを備えた下位１位検索ウインドウ５２１を前記詳細展開領域５１６に表示する図５に示す下位１位検索画面５１０ｂを表示する。この状態から、再度、決定キー３１１の操作がなされると下位１位検索ウインドウ５２１を消去する。また、詳細展開領域５１６に下位１位検索ウインドウ５２１が表示されているか否かに係わらず、カーソル２０２が第１選択キー５１４に位置する状態で、上キー３１４と下キー３１５が操作されると、カーソル２０２を他の第１選択キー５１４に移動させる。
【００５２】
また、マイコン１０１は、カーソル２０２が下位１位検索ウインドウ５２１にある状態では、上キー３１４と下キー３１５の操作によりカーソル２０２を移動させて、上下に配置される第２選択キー５１４ａを選択させ、決定キー３１１の操作で第２選択キー５１４ａに割り当てられた機能を実行する。例えば、図５の状態では、第２選択キー５１４ａである「スポーツ」が選択された状態を示している。この状態から決定キー３１１の操作を受け付けると、「スポーツ」以外の第２選択キー５１４ａを消去して、その右側に第３選択キー５１４ｂが上下に配列される下位２位検索ウインドウ５２２を表示した図６に示す下位２位検索画面５１０ｃを表示する。この状態で決定キー３１１の操作を受け付けると、元の下位１位検索ウインドウ５２１の状態に戻す。
【００５３】
なお、第２選択キー５１４ａと第３選択キー５１４ｂはそれぞれ下位の選択キーがあればそれらを実行する機能が割り当てられ、下位の選択キーが割り当てられていなければ、図７に示す検索結果５２３を表示した検索画面５１０ｄを表示する。なお、第２選択キー５１４ａと第２選択キー５１４ａは、当該選択キー全てを検索結果とする「全てを含む」を含んでおり、この「全てを含む」が選択／決定されると図７に示す検索画面５１０ｄを表示する。
【００５４】
図７において、検索画面５１０ｄでは、分野選択領域５１５全体に検索されたコンテンツがリスト表示される。ここでは、記録された日付、開始時間、録画時間、チャンネル、録画モード、タイトルなどがコンテンツに対応して１行表示され、このコンテンツが上下に複数件表示される。マイコン１０１は、これらコンテンツの選択を上キー３１４と下キー３１５で受け付けて、決定キー３１１の操作で、当該コンテンツの再生を実行する。
【００５５】
また、ここで、マイコン１０１は、操作ガイダンス５２０の操作を受け付けてこれらの表示内容を変更させる。例えば、チャンネルの選局送戻キー３２４の操作が成されると分野選択領域５１５の頁を切り替え、任意設定キー３２５の操作に対応して、検索対象切り替えや検索条件クリアや表示順切り替えや検索結果の切り替え（リスト／サムネール）を行うことができる。
【００５６】
このように、この実施の形態では、横長の表示装置２０１の上下の辺に、中央の分野選択領域５１５を挟むように帯状のバー５１１と５１２を配置して横文字配列のガイダンスや主要な操作キー（検索対象表示５１８）を配置することによって、バー５１１と５１２に配列されるガイダンスや主要な操作キーの視認性を向上するとともに、中央の分野選択領域５１５を横長のワイド領域とすることができる。そして、このワイドな分野選択領域５１５の長手方向に沿って詳細展開領域５１６に、第１選択キー５１４、第２選択キー５１４ａ、第３選択キー５１４ｂ、と下位階層を順次配列表示することにより、横長文字列の複数の選択キーを１つの表示画面に分かり易く表示することができる。
【００５７】
次に、図８から図１１に基づいて、第１検索ステップで検索されたコンテンツ内から第２検索ＤＢ４２０を介して所望のフレーム画面をテキスト検索で検索することができる第２検索ステップの実現手段を具体的に説明する。図８は、第２検索ステップを実現するための機能ブロック図である。図９はインデクシングデータのデータ構造図である。図１０はキーワードデータのデータ構造である。図１１は検索結果マーク部のデータ構造図である。
【００５８】
先ず、図８を参照して、この実施の形態に係るテレビジョン受像機１が備えている第２検索ステップを実現するための各種機能の概要を説明する。これらの機能ブロックの全てがマイコン１０１によって実行されるソフトウェアプログラムであるものとして説明するが、一部あるいは全ては、ハードウェアとして実現されてもよい。
【００５９】
図８に示す通り、本実施の形態に係る本体１００は、解析動画データ入力部１２１と、インデクシングデータ生成部１２２と、インデクシングデータ保持部１２３と、インデクシングデータ入力部１２４と、キーワードデータ生成部１２５と、キーワードデータ保持部１２６と、キーワードデータ入力部１２７と、キーワード入力部１２８と、キーワード位置データ生成部１２９と、キーワード位置データ保持部１３０と、キーワード位置データ入力部１３１と、キーワード提示部１３２と、キーワード位置提示部１３３と、再生制御部１３４と、再生動画データ入力部１３５と、音声出力部１３６と、画像表示部１３８と、再生位置指定部１３７と、を有する。
【００６０】
ただし、他の装置で既に作成済みのインデクシングデータを使用するなど、インデクシングデータを本体１００で生成しない場合には、解析動画データ入力部１２１と、インデクシングデータ生成部１２２と、インデクシングデータ保持部１２３は必須ではない。また、他の装置で既に作成済みのキーワードデータを使用するなど、キーワードデータを本体１００で生成しない場合には、キーワードデータ生成部１２５と、キーワードデータ保持部１２６は必須ではない。また、他の装置で既に作成済みのキーワード位置データを使用するなど、キーワード位置データを本体１００で生成しない場合には、キーワード位置データ生成部１２９と、キーワード位置データ保持部１３０は必須ではない。
【００６１】
図８において、解析動画データ入力部１２１は、後述するインデクシングデータの生成対象のコンテンツ情報を番組情報抽出部１０３から入力する。
【００６２】
インデクシングデータ生成部１２２は、解析動画データ入力部１２１において入力した動画データにおいて、喋られている台詞あるいは表示されている文字列とそれらの台詞あるいは文字列が喋られる時刻あるいは表示される時刻を基にコンテンツ情報をインデクシングし、後述する図９に示すインデクシングデータを生成する。例えば、喋られている台詞の字幕データを取得し、その文字列およびそれが表示される時間とともに記録することにより、図９に示すインデクシングデータを作成する。
【００６３】
デジタルテレビ放送では、音声のＥＳ（Elementary Stream）や映像のＥＳと同様に字幕のＥＳが送られてきているので、この字幕のＥＳを取得およびデコードすることで、字幕として表示される文字列とそれが表示される時刻の情報を取得でき、これらを基に図９に示すインデクシングデータが生成可能となる。
【００６４】
あるいは、インデクシングデータ生成部１２２は、解析動画データ入力部１２１において入力した動画データの音声を認識し、その文字列を生成することによって、図９に示すインデクシングデータを生成しても良い。この音声認識の技術は公知の技術を流用できるものとし、ここでは説明を省略する。音声認識した結果は文字列とする必要はなく、音素特徴などとしても良い。この場合、図９のインデクシングデータの文字列格納領域に音素特徴を格納すればよい。また、音声認識した結果を音素等の文字列以外とした場合には、後述するようにキーワード位置データ生成部１２９において、音素等の文字列以外でキーワード出現位置を検索するように構成すればよい。これについては後程、キーワード位置データ生成部１２９の説明で改めて言及する。
【００６５】
あるいは、インデクシングデータ生成部１２２は、解析動画データ入力部１２１において入力した動画データの画像上に表示されるテロップを認識し、その文字列を生成することによって、図９に示すインデクシングデータを生成しても良い。このテロップ認識の技術は公知の技術を流用できるものとし、ここでは説明を省略する。テロップ認識した結果は文字列とする必要は無く、文字の辺数等の形状特徴などとしても良い。この場合、図９のインデクシングデータの文字列格納領域に形状特徴を格納すればよい。また、テロップ認識した結果を形状特徴等の文字列以外とした場合には、後述するようにキーワード位置データ生成部１２９において、形状特徴等の文字列以外でキーワード出現位置を検索するように構成すればよい。これについては後程、キーワード位置データ生成部１２９の説明で改めて言及する。
【００６６】
次に、図９を参照して、インデクシングデータ生成部１２２で生成されるインデクシングデータのデータ構造を説明する。６０１は、ある時刻に喋られる台詞あるいは表示される文字列番号であり、６０４は、喋られる台詞あるいは表示される文字列である。ここで、喋られる台詞としては、字幕情報の場合はデコード結果の文字列とすることができる。また、音声認識結果であれば、単位時間あたりの音声に対して音声認識によって得られた認識結果の文字列としたり、音素データとすることができる。また、テロップ認識結果であれば、テロップが出現したと認識したときにテロップ認識によって得られた認識結果の文字列としたり、辺の数や画数等の形状特徴データとすることができる。
【００６７】
６０２は、文字列６０４に格納される文字列のバイト数や音素データのデータ量等の６０４に格納されるデータのデータ量であり、特にそのデータのバイト数とすることができる。６０３は、６０４に格納されるデータが実際に出力される時刻であり、つまり文字列６０４に格納されている台詞あるいは文字に関するデータが喋られるあるいは表示される時刻である。これは、例えば字幕情報の場合はデコード結果の時刻とすることができる。また、音声認識結果であれば、単位時間あたりの音声に対して音声認識する場合には、その音声が出力される時刻とすることができる。また、テロップ認識の場合には、テロップが出現したと認識したときにそのテロップが表示される時刻とすることができる。インデクシングデータ生成部１２２は、前記した文字列番号６０１から文字列６０４のデータの組でエントリ（６１０）を構成する。ここで、図９においては、特に６１１から６１３の３つのエントリ６１０があることを示している。
【００６８】
インデクシングデータ生成部１２２は、エントリ６１０がなくなった時点でエントリ３１４に示すようにすべてのデータを０にする。これにより、後述するインデクシングデータ入力部１２４で、本インデクシングデータが読み込まれた際にエントリの最後を知ることができる。
【００６９】
なお、図９においては、一例として文字列番号６０１の領域サイズを４バイト、データ量６０２の領域サイズを４バイト、時刻６０３の領域サイズを８バイト、文字列６０４の領域サイズをＮバイトとしているがこの限りではなく、動画データに対して十分にそれぞれのデータを格納可能な領域を確保して決定されれば良い。
【００７０】
図８の説明に戻り、インデクシングデータ保持部１２３は、インデクシングデータ生成部１２２において生成したインデクシングデータを保持する。これは、例えばインデクシングデータ生成部１２２において生成したインデクシングデータを記憶装置１０９あるいは二次記憶装置１１０に格納することによって実現できる。
【００７１】
インデクシングデータ入力部１２４は、インデクシングデータ保持部１２３において保持されたインデクシングデータ、あるいは他の装置などによって既に生成されているインデクシングデータを入力する。これは、例えば記憶装置１０９あるいは二次記憶装置１１０に格納されているインデクシングデータを読み出すことによって実現できる。あるいは他の装置などによって既に生成されているインデクシングデータを入力する場合には、外部インターフエイス部１１１を介してネットワークデータに接続して取得することもできる。
【００７２】
キーワードデータ生成部１２５は、インデクシングデータ入力部１２４で入力したインデクシングデータの文字列部分を解析および単語分解し、図１０に示すキーワードデータを生成する。なお、文字列部分の解析及びキーワードデータの生成には辞書１３９及び／あるいは形態素解析の技術等が応用できる。なお、形態素解析には公知技術を流用できるものとし、ここでは説明を省略する。
【００７３】
インデクシングデータの文字列部分を解析する際には、スペースや振り仮名の文字列、及び文字色や表示位置を指定する制御コードを抜き取った状態で解析することで解析精度を向上することができる。これは、字幕データからインデクシングデータを生成した場合には、スペースの削除を字幕データからスペースの文字コード削除することによって実施できる。また、振り仮名の削除は文字の大きさの制御コードを判別し、振り仮名の大きさで表示される文字列を削除することによって実施できる。
【００７４】
辞書１３９は、例えば人名の辞書や、「天気予報」や「ホームラン」といった番組あるいは番組カテゴリ（総称して動画データの種類ともいう）ごとの固定のキーワードの辞書を用いれば、キーワードが大量に抽出されてしまい一覧表示しきれない又はユーザが探し難いという課題を解消できる。この辞書は動画データの種類によって切り替えてもよい。動画データの種類は例えば番組に付属するメタデータ、ＥＰＧデータ、ユーザの指定等によって決めることができる。
【００７５】
また、「次に」、「次は」、「続いて」といったトピックの先頭や導入（トピックの切れ目）に喋られるキーワードの辞書を用いれば、この言葉を拾うことで動画データ内のトピックの切れ目を検出することが期待できる。
【００７６】
生成したキーワードはキーワード提示部１３２で提示可能となる。
【００７７】
図１０は、キーワードデータのデータ構造の一例である。６５３は、キーワードとなる文字列自身であり、キーワードデータ生成部１２５によって解析および単語分解されたインデクシングデータの文字列部分であり、特にインデクシングデータの文字列部分の一部とすることができる。例えば、上述の通り、インデクシングデータの文字列部分から辞書１３９及び／あるいは形態素解析などの技術を適用して、名詞の単語にあたる文字列（キーワード）を抽出したものとすればよい。
【００７８】
６５１は、キーワード番号、６５２は、キーワードとなる文字列のデータ量（バイト数）である。キーワードデータ生成部１２５は、さらに、後述するキーワード入力部１２８においてユーザから入力されたキーワードの統計を取り、その統計量によって例えばこれまでにユーザによって指定されたキーワードの多さによってスコアを付けても良い。この場合、図１０において、キーワードデータには、キーワードに対してスコア６５４を付し、６５１から６５４を一組として、エントリ６６０を形成する。図１０においては、一例として６６１から６６３までの３つのエントリがあることを示している。キーワードデータ生成部１２５は、エントリがなくなった時点でエントリ６６４に示すようにすべてのデータを０にすればよい。これにより、後述するキーワードデータ入力部１２７で、本キーワードデータが読み込まれた際にエントリの最後を知ることができる。
【００７９】
なお、図１０においては、一例としてキーワード番号６５１の領域サイズを４バイト、バイト数４０２の領域サイズを４バイト、キーワード文字列４０３の領域サイズをＮバイト、スコア４０４の領域サイズを４バイトとしているがこの限りではなく、それぞれのデータレンジに対応して十分に領域を確保して決定されれば良い。
【００８０】
図８の説明に戻り、キーワードデータ保持部１２６は、キーワードデータ生成部１２５において生成したキーワードデータを保持する。これは、例えばキーワードデータ生成部１２５において生成したキーワードデータを記憶装置１０９あるいは二次記憶装置１１０に格納することによって実現できる。
【００８１】
キーワードデータ入力部１２７は、キーワードデータ保持部１２６において保持されたキーワードデータ、あるいは他の装置などによって既に生成されているキーワードデータを入力する。これは、例えば記憶装置１０９あるいは二次記憶装置１１０に格納されているキーワードデータを読み出すことによって実現できる。あるいは他の装置などによって既に生成されているキーワードデータを入力する場合には、外部インターフエイス部１１１を介して、該当するキーワードデータが保存されている装置にアクセスし、該当するキーワードデータを取得すればよい。この方法としては公知のネットワークデータの取得方法が適用可能であるとし、ここでは詳細な説明を省略する。
【００８２】
キーワード提示部１３２は、キーワードデータ入力部１２７で入力したキーワードデータに格納されたキーワードを図１に示すように第２検索画面５５０を介して利用者に提示する。
【００８３】
図８の説明に戻り、キーワード入力部１２８は、利用者から指定されるキーワードを入力する。これは、例えば、図１に示す第２検索画面５５０では、キーワード選択ウインドウ５９０を表示し、このキーワード選択ウインドウ５９０に表示されるキーワード選択肢５９１を選択することで決定することができる。なお、利用者が、このキーワード入力部２０８にキーワードを指定することで、本動画再生装置は、動画データにおいて指定したキーワードの出現している位置を検索して再生する。これにより、利用者は、所望のキーワードが出現するシーンを視聴できるようになる。
【００８４】
キーワード位置データ生成部１２９は、キーワード入力部１２８によって入力したキーワードの文字列と、インデクシングデータ入力部１２４で入力したインデクシングデータを基に、図１１に示すキーワード位置データを生成する。これは、キーワード位置データ生成部１２９が、キーワード入力部１２８によって入力したキーワードの文字列を、インデクシングデータ入力部１２４で入力した図９に示すインデクシングデータにおける各エントリ６１１から６１４の文字列６０４の部分から検索し、当該入力したキーワードの文字列が見つかったインデクシングデータにおけるエントリ６１０の時刻６０３を取得して、それを図１１に示すキーワード位置データにおける位置６８２に格納すればよい。
【００８５】
なお、先に述べた通り、インデクシングデータ生成部１２２において、音声認識あるいはテロップ認識により、音素特徴あるいは形状特徴等の文字列以外を文字列６０４の領域に格納した場合には、キーワード位置データ生成部１２９が、キーワード入力部１２８によって入力したキーワードの文字列を基に、それぞれ音素特徴あるいは形状特徴等に変換して、インデクシングデータにおける各エントリ６１０の文字列６０４の部分から検索し、当該入力したキーワードの文字列に対応する音素特徴あるいは形状特徴と一致したインデクシングデータにおけるエントリの時刻６０３を取得して、それを図１１に示すキーワード位置データにおける位置６８２に格納すればよい。
【００８６】
図１１において、６８１は、位置番号である。また、６８２は、キーワード入力部１２８によって入力したキーワードの文字列が見つかった際の、その文字列が動画データ内で出現する位置である。この位置６８２は動画データにおけるその文字列が表示される時刻としてもよく、ここでは、動画データ内の位置を動画データ内での時刻ととらえることにする。すなわち、キーワード入力部１２８によって入力されたキーワードの文字列が、インデクシングデータ入力部１２４で入力したインデクシングデータにおける文字列６０４の部分に見つかったときの、インデクシングデータにおけるエントリの時刻６０３とすることができる。あるいは、キーワード入力部１２８によって入力されたキーワードの文字列に対応する音素特徴あるいは文字の形状特徴が、インデクシングデータ入力部１２４で入力したインデクシングデータにおける文字列６０４の部分に見つかった時の、インデクシングデータにおけるエントリの時刻６０３とすることができる。
【００８７】
図１１においては、特に、一例としてキーワード入力部１２８によって入力されたキーワードの文字列、あるいは音素特徴あるいは文字の形状特徴が、インデクシングデータ入力部１２４で入力したインデクシングデータにおいて３つのエントリの文字列６０４の部分に見つかったことを示しており、これらがそれぞれキーワード位置データにおけるエントリ６９１から６９３に格納されたことを示している。なお、キーワード位置データ生成部１２９は、エントリ６９４に示す通り、エントリ６９０の最後のデータを０にするとよい。これにより、後述するキーワード位置データ入力部１３１で、このキーワード位置データが読み込まれた際にエントリ６９０の最後を知ることができる。
【００８８】
なお、図１１においては、一例として位置番号６８１の領域サイズを４バイトととし、位置６８２の領域サイズを８バイトとしているがこの限りではなく、それぞれのデータレンジに対応して十分に領域を確保して決定されれば良い。
【００８９】
図８の説明に戻り、キーワード位置データ保持部１３０は、キーワード位置データ生成部１２９において生成したキーワード位置データを保持する。これは、例えばキーワード位置データ生成部１２９において生成したキーワード位置データを記憶装置１０９あるいは二次記憶装置１１０に格納することによって実現できる。
【００９０】
キーワード位置データ入力部１３１は、キーワード位置データ保持部１３０において保持されたキーワード位置データ、あるいは他の装置などによって既に生成されているキーワード位置データを入力する。これは、例えば記憶装置１０９あるいは二次記憶装置１１０に格納されているキーワード位置データを読み出すことによって実現できる。あるいは他の装置などによって既に生成されているキーワード位置データを入力する場合には、外部インターフエイス部１１１を介して、該当するキーワード位置データが保存されている装置にアクセスし、該当するキーワード位置データを取得すればよい。この方法としては公知のネットワークデータの取得方法が適用可能であるとし、ここでは詳細な説明を省略する。
【００９１】
キーワード位置提示部１３３は、キーワード位置データ入力部１３１で入力したキーワード位置データに基づいて、動画データ内において利用者が指定したキーワードの出現位置を提示する。これは、例えば図１で説明したように、第２検索画面５５０の下方にタイムバー部５７１を表示し、このタイムバー部５７１の所定の位置にキーワード位置データ内のエントリの位置６８２に対応する位置にマーク（検索結果マーク部５７２）を付けることによって実現できる。
【００９２】
図８の説明に戻り、再生動画データ入力部１３５は、再生対象の動画データを番組情報抽出部１０３から入力する。画像表示部１３８は、後述する再生制御部１３４において生成された再生画像をモニタ２００に出力する。音声出力部１３６は、後述する再生制御部１３４において生成された再生音声をスピーカ２０３に出力する。
【００９３】
再生位置指定部１３７は、利用者からの再生位置の変更があった場合に、その旨を後述する再生制御部１３４に通知する。例えば、十字キー３１０の右キー３１６または左キー３１７が利用者により操作された場合に、それを後述する再生制御部１３４にイベントあるいはフラグにより通知することで実現できる。
【００９４】
再生制御部１３４は、動画データを再生動画データ入力部１３５により入力し、再生画像及び再生音声を生成して画像表示部１３８および音声出力部２１７に出力することによって、動画データを再生する。
【００９５】
次に、図１２から図１４を参照して、第２検索ステップの操作方法を説明する。図１２は第２検索ステップの動作フロー図である。図１３から図１６は第２検索画面の画面遷移図である。
【００９６】
図１２において、マイコン１０１は、前記第１検索ステップで抽出したコンテンツまたは、特定のコンテンツの録画再生中にスキップキー３３４の操作が成される(ステップ７００)と、表示装置２０１に第２検索画面５５０を表示する（ステップ７０２）。具体的には、マイコン１０１は、図１３に示すように、録画再生中では表示画面２０１ａ全体に録画されたコンテンツを表示している。そして、マイコン１０１は、スキップキー３３４の操作が成されると、図１４に示すように、コンテンツの録画を再生中の再生画面領域部５５１の下方の位置にキーワード選択部５６０と検索結果表示バー部５７０を、例えば、下方から上方に向かってスライドするように出現させる。このように、この実施の形態では、キーワード選択部５６０と検索結果表示バー部５７０を出現するに当たり、目立ち難い下方の位置に徐々に出現させるので、再生中のコンテンツの視認性に損なうことがない。しかも、最終的に出現するキーワード選択部５６０と検索結果表示バー部５７０はワイドな表示画面２０１ａの下方に帯状にしかも細く表示されるので、再生中のコンテンツの視認性をに支障をきたすことが少ない。
【００９７】
この第２検索画面５５０では、キーワード選択部５６０と検索結果表示バー部５７０がそれぞれ左右方向に長い帯状に形成され、しかも、その長手方向が一致するように左右に並べて配置されるので、横長のワイドな表示画面２０１ａの下方の長辺を効率よく活用して、キーワード選択部５６０と検索結果表示バー部５７０を効率よく配置することができる。
【００９８】
前記キーワード選択部５６０は、現在選択中のキーワードを表示する横長矩形状の選択窓部５６１と、この上下と左右に隣接して配置される矢印マーク５６２とを含んで構成される。この選択窓部５６１の四方に向く矢印マーク５６２の配置は、リモコン３００の決定キー３１１を取り囲むような十字キー３１０を利用者に連想させるため、キーワード選択部５６０の操作が十字キー３１０の操作により可能なことを自然に認識させることができる。
【００９９】
また、検索結果表示バー部５７０は、左右方向に長い帯状のタイムバー部５７１と、このタイムバー部５７１を左右に分割するように設定される検索結果マーク部５７２と、タイムバー部５７１の長手方向の両端に配置される開始時間５７３及び終了時間５７４と、選択されている検索結果マーク部５７２を示す選択マーカ５７５とを含んで構成される。
【０１００】
この実施の形態では、マイコン１０１が、コンテンツ全体の再生時間をタイムバー部５７１の左右方向の長さに設定し、このタイムバー部５７１の左端に配置される開始時間５７３を時刻０とし、タイムバー部５７１の右端に配置される終了時間５７４にコンテンツの再生時間を表示する。そして、キーワード位置データ内の位置６８２に格納されている時刻に対応するタイムバー部５７１上の位置をタイムバー部５７１の長さとコンテンツのデータ全体の再生時間の割合から求め、当該キーワード位置データ内の位置６８２に格納されている時刻に対応するタイムバー部５７１上の位置に検索結果マーク部５７２を割り付ける。また、選択マーカ５７５は、検索結果マーク部５７２の上部に逆三角形マークで表現され、右キー３１６または左キー３１７の操作で左右方向に移動する。
【０１０１】
一方、この実施の形態では、検索結果表示バー部５７０の下方のスペースを利用して操作ガイダンス領域５８０を設けることで、この第２検索画面５５０におけるリモコン３００による操作キーの操作ガイダンスを表記している。例えば、この実施の形態では、利用者が操作ガイダンス領域５８０の内容を見ることにより、リモコン３００の任意設定キー３２５の青キー３２５ａや、十字キー３１０の操作が可能を知ることができる。
【０１０２】
さて、この実施の形態では、初期設定として、マイコン１０１は第２検索画面５５０を表示するに当たり、キーワードデータの最初にリストアップされたデータを選択窓部５６１に表示するとともに、前記タイムバー部５７１に、このキーワードに該当する検索結果マーク部５７２を表示する。なお、前記初期設定は図示しない設定画面を呼び出して任意のキーワードに変更することもできる。
【０１０３】
そして、マイコン１０１は、十字キー３１０の上下キーが操作されたか（ステップ７０４）、または左右キーが操作されたか（ステップ７１８）、あるいはスキップキー３３４が操作されたか(ステップ７２６)を監視する。
【０１０４】
ここで、上下キーが操作されると、マイコン１０１は図１５に示すように、選択窓部５６１の近傍の再生画像領域部５５１にキーワード選択ウインドウ５９０を表示する(ステップ７０６)。このキーワード選択ウインドウ５９０には、このキーワードデータに含まれるキーワードが上下方向に並べてリストアップされる。そして、先に選択窓部５６１に表示されているキーワードが強調表示されて、このキーワードが選択状態であることを示している。
【０１０５】
この状態で、左右キーが操作されると（ステップ７３０）、マイコン１０１は、キーワード選択ウインドウ５９０を消去して、ステップ７２０に進ませ、上下キーが操作されると、キーワード選択ウインドウ５９０内でカーソルを移動させる(ステップ７１０)。そして、マイコン１０１は、決定キー３１１が操作されると、当該選択されたキーワードの検索を実行するとともに、キーワード選択ウインドウ５９０を消去するとともに当該選択決定されたキーワードを前記選択窓部５６１に表示し(ステップ７１４)、当該検索結果をタイムバー部５７１上の検索結果マーク部５７２の変更として表示する（ステップ７１６）。
【０１０６】
一方、左右キーが操作されると、マイコン１０１は、再生画像領域部５５１に再生されているフレーム画像の位置を基準にして、操作指示された方向にある検索結果マーク部５７２まで選択マーカ５７５（カーソル）を移動させる（ステップ７２０）。そして、決定キー３１１の操作がなされると（ステップ７２２）、再生画像領域部５５１に表示されているフレーム画像を選択マーカ５７５により選択された検索結果マーク部５７２に対応するフレーム画像に変更する。ここで、決定キー３１１の操作で再生画像領域部５５１のフレーム画像を切り替えているが、このステップを省略して、左右キーの操作にともなって再生画像領域部５５１のフレーム画像を切り替えてもよい。
【０１０７】
また、キーワード検索結果が表示されているキーワードと異なる新たなキーワードの選択を受け付けた場合には、マイコン１０１は、前記選択窓部５６１に当該新たなキーワードを表示するとともに、検索データから新たなキーワード検索を行い、その検索結果を検索結果マーク部５７２の表示を変更する。また、これと共に、検索結果マーク部のうち最も早い時間帯に表示された箇所を選択表示させると望ましい。例えば、選択マーカ５７５を再生画像の最も早い時間に対応する検索結果マーク部５７２に表示させる。なお、この選択マーカの移動と共に、再生画像領域部５５１のフレーム画像も切り替えてもよいし、決定キー３１１の操作により、再生画像領域部５５１のフレーム画像を切り替えてもよい。これにより、動画再生中であっても、特別な操作が必要なく最初の時間帯にキーワードが検出されたフレーム画像を表示することができ、十字キー３１０の右キーのみですべての検索されたフレーム画像を確認することができる。そのため、操作性良く、簡単に目的のフレーム画像を表示させることができる。
【０１０８】
あるいは、図１６に示すように、検索結果表示バー部５７０の片側にサブ表示画面２０１ｂを表示して、このサブ表示画面２０１ｂに決定キー３１１の操作前のフレーム画像を表示するようにしてもよい。即ち、この図１６の事例では、表示画面２０１ａの下部に、検索結果表示バー部５７０を挟むようにキーワード選択部５６０とサブ表示画面２０１ｂを設ける。そして、この表示画面２０１ｂには、タイムバー部５７１の選択マーカ５７５に対応するフレーム画像を表示させる。そして、決定キー３１１の操作に、基づいて、表示画面２０１ｂに表示されるフレーム画像を再生画像領域部５５１に表示させる。この実施の形態によれば、再生画像領域部５５１に主体と成るフレーム画像を表示しつつ、希望するフレーム画像をサブ表示画面２０１ｂで確認しながら検索して、必要により、この検索したフレーム画像を再生画像領域部５５１に表示することができる。また、図１６に示すように、サブ表示画面２０１ｂを表示することにより、マイコン１０１は、検索結果表示バー部５７０の検索結果表示バーの長手方向の長さを短く表示する。これに伴い、検索結果マーク部５７２の位置も短くなる割合に応じて位置が変化する。このような表示とすることにより、サブ表示画面の表示によって、検索結果表示バーの一部が隠れることなく、サブ表示画面と検索結果表示バーの全体とを同時に表示することができる。そのため、視認性が向上し、フレーム画像をサブ表示画面２０１ｂで確認しながら操作性良く検索をすることができる。なお、前述の説明と同様に、サブ表示画面２０１ｂでは、キーワードを変更する場合に、マイコン１０１は、検索結果マーク部のうち最も早い時間帯に表示された箇所を選択表示させてもよい。これにより、前述の通り、操作性良く、簡単に目的のフレーム画像を表示させることができる。
【０１０９】
図１２に戻り、次に、この実施の形態では、マイコン１０１がスキップキー３３４の操作が行われると（ステップ７２６）、第２検索画面５５０の画面から再生画像領域部５５１に表示されているフレーム画像を全画面表示として通常の表示画面に戻す(ステップ７２８)。
【０１１０】
このように、この実施の形態では、スキップキー３３４の操作で通常の全画面表示からキーワード選択部５６０と検索結果表示バー部５７０を表示画面２０１ａの下方に帯状に表示することができ、しかも、このキーワード選択部５６０を十字キー３１０の操作で簡単に検索して、その検索結果を検索結果表示バー部５７０上に視覚的に表示して、これらを十字キー３１０の操作で更に選択して目的のフレーム画像を表示装置２０１に表示することができる。
【図面の簡単な説明】
【０１１１】
【図１】この発明に係るテレビジョン受像機の概略構成図である。
【図２】この発明に係るテレビジョン受像機の本体装置ブロック図である。
【図３】この発明に係るテレビジョン受像機のリモコンの外観図である。
【図４】この発明に係るテレビジョン受像機の第１検索画面の遷移図である。
【図５】この発明に係るテレビジョン受像機の第１検索画面の遷移図である。
【図６】この発明に係るテレビジョン受像機の第１検索画面の遷移図である。
【図７】この発明に係るテレビジョン受像機の第１検索画面の遷移図である。ある。
【図８】この発明に係るテレビジョン受像機の第２検索ステップを実現するための機能ブロック図である。
【図９】この発明に係るテレビジョン受像機のインデクシングデータのデータ構造図である。
【図１０】この発明に係るテレビジョン受像機のキーワードデータのデータ構造である。
【図１１】この発明に係るテレビジョン受像機の検索結果マーク部のデータ構造図である。
【図１２】この発明に係るテレビジョン受像機の第２検索ステップの動作フロー図である。
【図１３】この発明に係るテレビジョン受像機の第２検索画面の画面遷移図である。
【図１４】この発明に係るテレビジョン受像機の第２検索画面の画面遷移図である。
【図１５】この発明に係るテレビジョン受像機の第２検索画面の画面遷移図である。
【図１６】この発明に係るテレビジョン受像機の第２検索画面の画面遷移図である。
【符号の説明】
【０１１２】
１…テレビジョン受像機、５０…アンテナ、１００…本体、１０１…マイコン、１０２…チューナ、１０３…番組情報抽出部、１０４…音声再生部、１０５…映像再生部、１０６…表示合成部、１０８…リモコン受光部、１０９…記憶装置（HDD）、１１０…二次記憶装置（ＤＶＤ）、１１１…外部インターフエイス部、１２１…解析動画データ入力部、１２２…インデクシングデータ生成部、１２３…インデクシングデータ保持部、１２４…インデクシングデータ入力部、１２５…キーワードデータ生成部、１２６…キーワードデータ保持部、１２７…キーワードデータ入力部、１２８…キーワード入力部、１２９…キーワード位置データ生成部、１３０…キーワード位置データ保持部、１３１…キーワード位置データ入力部、１３２…キーワード提示部、１３３…キーワード位置提示部、１３４…再生制御部、１３５…再生動画データ入力部、１３６…音声出力部、１３８…画像表示部、１３７…再生位置指定部、２００…モニタ、２０１…表示装置、２０１ａ…表示画面、２０１ｂ…サブ表示画面、２０２…カーソル、２０３…スピーカ、３００…リモコン、３１０…十字キー、３１１…決定キー、３１４…上キー、３１５…下キー、３１６…右キー、３１７…左キー、３２０…電源キー、３２１…選局キー群、３２２…ダイレクトチャンネル設定キー群、３２３…音量アップダウンキー、３２４…チャンネルの選局送戻キー、３２５…任意設定キー、３２６…番組表選択キー群、３２７…録画関連キー群、３２８…メニューキー、３２９…便利キー、３３０…データキー、３３１…戻るキー、３３２…リングキー、３３３…番組検索キー、３３４…スキップキー、４００…コンテンツＤＢ、４１０…第１検索ＤＢ、４２０…第２検索ＤＢ、５００…検索画面、５１０…第１検索画面、５１０ａ…初期画面、５１０ｂ…下位１位検索画面、５１０ｃ…下位２位検索画面、５１０ｄ…検索画面、５１１…タイトルバー、５１２…ガイダンスバー、５１３…検索領域、５１４…第１選択キー、５１４ａ…第２選択キー、５１４ｂ…第３選択キー、５１５…分野選択領域、５１６…詳細展開領域、５１７…タイトル、５１８…検索対象表示、５１９…操作ガイダンス、５２０…操作ガイダンス、５２１…下位１位検索ウインドウ、５２２…下位２位検索ウインドウ、５２３…検索結果、５５０…第２検索画面、５５１…再生画像領域部、５６０…キーワード選択部、５６１…選択窓部、５６２…矢印マーク、５７０…検索結果表示バー部、５７１…タイムバー部、５７２…検索結果マーク部、５７５…選択マーカ、５８０…操作ガイダンス領域、５９０…キーワード選択ウインドウ、５９１…キーワード選択肢、６０１…文字列番号、６０２…データ量、６０３…時刻、６０４…文字列、６１０〜６１４…エントリ、６５１…キーワード番号、６５２…データ量、６５３…文字列、…６５４スコア、６６０〜６６４…エントリ、６８１…位置番号、６８２…位置、６９０〜６９３…エントリ。
【図１】
0005022847.tif 000002
【図２】
0005022847.tif 000003
【図３】
0005022847.tif 000004
【図４】
0005022847.tif 000005
【図５】
0005022847.tif 000006
【図６】
0005022847.tif 000007
【図７】
0005022847.tif 000008
【図８】
0005022847.tif 000009
【図９】
0005022847.tif 000010
【図１０】
0005022847.tif 000011
【図１１】
0005022847.tif 000012
【図１２】
0005022847.tif 000013
【図１３】
0005022847.tif 000014
【図１４】
0005022847.tif 000015
【図１５】
0005022847.tif 000016
【図１６】
0005022847.tif 000017